(57)【要約】  移植組織片懸架デバイス（１０）が、プラットフォーム部材（１６）と、移植片接続要素（１８）の一部分が移植組織片（２２）に取り付けるためのループを形成するように、プラットフォーム部材に結合された移植片接続要素（１８）と、移植片接続要素のループに結合され、生物学的材料（３０）を包囲するように構成された包囲部材（２０）と、を含む。包囲部材は、生物学的材料を受け入れるように構成された開口を画定する。移植片接続要素および包囲部材は、使用中に移植組織片がループに結合されるとともに包囲部材と接触するように構成されている。
2015509032.tif 000002
【特許請求の範囲】
【請求項１】
プラットフォーム部材と、
移植片接続要素の一部分が移植組織片に取り付けるためのループを形成するように、前記プラットフォーム部材に結合された移植片接続要素と、
前記移植片接続要素の前記ループに結合され、生物学的材料を包囲するように構成された包囲部材であって、前記生物学的材料を受け入れるように構成された開口を画定する包囲部材と、
を備え、前記移植片接続要素および前記包囲部材が、使用中に前記移植組織片が前記ループに結合されるとともに前記包囲部材と接触するように、構成された移植組織片懸架デバイス。
【請求項２】
前記移植片接続要素が、縫合糸の連続したループである請求項１に記載の移植組織片懸架デバイス。
【請求項３】
前記ループが、前記包囲部材の開口を通過する請求項１に記載の移植組織片懸架デバイス。
【請求項４】
前記ループが、前記包囲部材の取り付け要素を通過する請求項１に記載の移植組織片懸架デバイス。
【請求項５】
前記包囲部材が、前記生物学的材料を受け入れるように構成された２つの開口を画定する請求項１に記載の移植組織片懸架デバイス。
【請求項６】
前記生物学的材料が、フィブリンクロットである請求項１に記載の移植組織片懸架デバイス。
【請求項７】
前記生物学的材料が、多血小板血漿である請求項１に記載の移植組織片懸架デバイス。
【請求項８】
前記包囲部材に取り付けられた１つまたは複数のフィラメントをさらに備える請求項１に記載の移植組織片懸架デバイス。
【請求項９】
移植組織片を固着する方法であって、
移植片接続要素に結合されたプラットフォーム部材を用意するステップであって、前記移植片接続要素が包囲部材に結合されるとともに前記移植組織片に取り付けるためのループを形成し、前記包囲部材が生物学的材料を包囲するように構成される、ステップと、
前記包囲部材内の開口を通して前記生物学的材料を挿入するステップと、
前記移植組織片が前記包囲部材と接触するように前記移植片接続要素に前記移植組織片を取り付けるステップと、
骨内に骨孔を形成するステップと、
少なくとも前記移植組織片の一部分が前記骨孔の中にあるように前記プラットフォーム部材を前記骨の表面上に位置決めするステップと、
を含む、移植組織片を固着する方法。
【請求項１０】
前記移植片接続要素に前記移植組織片を取り付けるステップが、前記包囲部材が前記移植組織片の２つの部分の間に位置決めされるように、前記移植組織片を前記移植片接続要素のループに通してループ化するステップを含む請求項９に記載の移植組織片を固着する方法。
【請求項１１】
前記移植片接続要素に前記移植組織片を取り付けるステップが、前記移植片接続要素を前記移植組織片の骨ブロック内の開口に通してループ化するステップを含む請求項９に記載の移植組織片を固着する方法。
【請求項１２】
前記骨孔が第１の開口と第２の開口とを含み、前記プラットフォーム部材を前記骨の表面上に位置決めするステップが、
前記プラットフォーム部材を、前記第１の開口を通して前記骨孔に、および前記骨孔に挿入するステップと、
前記プラットフォーム部材を、前記骨孔を通して前記第２の開口の外へ移動させるステップと、
前記移植片接続要素に取り付けられた前記移植組織片の第１の部分が前記骨孔の中にあり、かつ前記移植組織片の第２の部分が前記第１の開口から延出するように、前記移植片接続要素が前記骨孔の中に延びて入る状態で、前記第２の開口の上に前記プラットフォーム部材を位置決めするステップと、
を含む請求項９に記載の移植組織片を固着する方法。
【請求項１３】
生物学的材料を受け入れるための骨格であって、
生物学的材料を含浸させた中央部分であって、織布パターンに配置されたフィラメントを備える中央部分と、
前記中央部分の縁部に取り付けられた案内部分であって、１つまたは複数のフィラメントを備える案内部分と、
を備え、前記骨格が、軟部組織内の断裂部に挿入されるように構成された骨格。
【請求項１４】
前記軟部組織内の断裂部が、半月断裂部である請求項１３に記載の骨格。
【請求項１５】
前記案内部分が、前記中央部分の第１の縁部に取り付けられた第１の案内部分と、前記中央部分の第２の縁部に取り付けられた第２の案内部分と、を備え、前記第２の縁部が、前記第１の縁部と対向する請求項１３に記載の骨格。
【請求項１６】
前記案内部分が、前記中央部分の織布パターンから延出する１つまたは複数のフィラメントを備える請求項１３に記載の骨格。
【請求項１７】
軟部組織断裂部を修復する方法であって、
中央部分と案内部分とを備える骨格を用意するステップであって、前記中央部分が、織布パターンに配置されたフィラメントを備える、ステップと、
前記骨格の中央部分に生物学的材料を含浸させるステップと、
前記骨格の縁部を前記軟部組織断裂部に挿入するステップと、
前記案内部分を操作することによって、前記軟部組織断裂部の中の前記骨格の中央部分を最終的な位置に挿入するステップと、
を含む、軟部組織断裂部を修復する方法。
【請求項１８】
前記軟部組織が、半月である請求項１７に記載の軟部組織断裂部を修復する方法。
【請求項１９】
前記骨格の中央部分に生物学的材料を含浸させるステップが、フィブリンクロットまたは多血小板血漿のうちの少なくとも１つを前記中央部分の周囲に形成するステップを含む請求項１７に記載の軟部組織断裂部を修復する方法。
【請求項２０】
前記骨格の中央部分に生物学的材料を含浸させるステップが、前記中央部分をフィブリンクロットまたは多血小板血漿のうちの少なくとも１つに押し込むステップを含む請求項１７に記載の軟部組織断裂部を修復する方法。
【発明の詳細な説明】
【技術分野】
【０００１】
本明細書は、埋め込み可能な生物学的ホルダに関する。
【背景技術】
【０００２】
断裂して修復不可能な、前十字靱帯（ＡＣＬ）などの靱帯は、関節鏡検査法で移植組織片によって置き換えられ得る。移植組織片は天然であってよく、身体の別の部分から採取可能である。たとえば、ＡＣＬ修復の場合、移植組織片は、各端にいわゆる「骨ブロック」を有する膝蓋腱の一部分から、ならびに半腱様筋および薄筋から、採取可能である。あるいは、移植組織片は、合成材料から、または合成材料と天然材料の組み合わせから、形成することができる。ＡＣＬを修復するとき、置換用移植組織片は、大腿骨内部の通路に形成された受け口の中に移植組織片の一端を固着し、脛骨に形成された通路に移植片の他端を通過させることによって、埋め込むことができる。
【０００３】
フィブリンクロットなどの生物学的材料は、治癒を促進するために、たとえばカニューレを介して靱帯または他の軟部組織の損傷部位に挿入されてもよく、たとえば縫合によって移植組織片に直接取り付けられてもよい。損傷部位への生物学的材料の適用は、治癒を促進する助けとなる。
【発明の概要】
【課題を解決するための手段】
【０００４】
一態様によれば、移植組織片懸架デバイスは、プラットフォーム部材と、移植片接続要素の一部分が移植組織片に取り付けるためのループを形成するように、プラットフォーム部材に結合された移植片接続要素と、移植片接続要素のループに結合され、生物学的材料を包囲するように構成された包囲部材と、を含む。包囲部材は、生物学的材料を受け入れるように構成された開口を画定する。移植片接続要素および包囲部材は、使用中に移植組織片がループに結合されるとともに包囲部材と接触するように構成される。
【０００５】
この態様の実装形態は、次の特徴のうちの１つまたは複数を含んでよい。
【０００６】
たとえば、移植片接続要素は縫合糸の連続したループであってよい。ループは、包囲部材の開口を通過してよい。ループは、包囲部材の取り付け要素を通過してよい。包囲部材は、生物学的材料を受け入れるように構成された２つの開口を画定してよい。生物学的材料はフィブリンクロットであってもよい。生物学的材料は多血小板血漿であってもよい。移植組織片懸架デバイスは、包囲部材に取り付けられた１つまたは複数のフィラメントをさらに含んでよい。
【０００７】
別の態様によれば、移植組織片を固着する方法は、移植片接続要素に結合されたプラットフォーム部材を用意するステップであって、移植片接続要素は包囲部材に結合されるとともに移植組織片に取り付けるためのループを形成し、包囲部材は生物学的材料を包囲するように構成される、ステップと、包囲部材内の開口を通して生物学的材料を挿入するステップと、移植組織片が包囲部材と接触するように移植片接続要素に移植組織片を取り付けるステップと、骨内に骨孔（bone tunnel）を形成するステップと、少なくとも移植組織片の一部分が骨孔の中にあるようにプラットフォーム部材を骨の表面上に位置決めするステップと、を含む。
【０００８】
この態様の実装形態は、次の特徴のうちの１つまたは複数を含んでよい。
【０００９】
たとえば、移植片接続要素に移植組織片を取り付けるステップは、包囲部材が移植組織片の２つの部分の間に位置決めされるように、移植組織片を移植片接続要素のループに通してループ化するステップを含んでよい。移植片接続要素に移植組織片を取り付けるステップは、移植片接続要素を移植組織片の骨ブロック内の開口に通してループ化するステップを含んでよい。骨孔は、第１の開口と、第２の開口と、を含んでよい。プラットフォーム部材を骨の表面上に位置決めするステップは、プラットフォーム部材を、第１の開口を通して骨孔に、および骨孔に挿入するステップと、プラットフォーム部材を、孔を通って第２の開口の外へ移動させるステップと、移植片接続要素に取り付けられた移植組織片の第１の部分が孔の中にあり、かつ移植組織片の第２の部分が第１の開口から延出するように、移植片接続要素が骨孔の中に延びて入る状態で、第２の開口の上にプラットフォーム部材を位置決めするステップと、を含んでよい。
【００１０】
さらに別の態様によれば、生物学的材料を受け入れるための骨格（scaffold）は、生物学的材料を含浸させた中央部分であって、織布パターンに配置されたフィラメントを備える中央部分と、中央部分の縁部に取り付けられた案内部分であって、１つまたは複数のフィラメントを備える案内部分と、を含む。骨格は、軟部組織内の断裂部に挿入されるように構成される。
【００１１】
この態様の実装形態は、次の特徴のうちの１つまたは複数を含んでよい。
【００１２】
たとえば、軟部組織内の断裂部は半月断裂部であってよい。案内部分は、中央部分の第１の縁部に取り付けられた第１の案内部分と、中央部分の第２の縁部に取り付けられた第２の案内部分と、を含んでよく、第２の縁部は第１の縁部と対向してよい。案内部分は、中央部分の織布パターンから延出する１つまたは複数のフィラメントを含んでよい。
【００１３】
さらなる態様によれば、軟部組織断裂部を修復する方法は、中央部分と案内部分とを備える骨格を用意するステップであって、中央部分は織布パターンに配置されたフィラメントを備える、ステップと、骨格の中央部分に生物学的材料を含浸させるステップと、骨格の縁部を軟部組織断裂部に挿入するステップと、案内部分を操作することによって、軟部組織断裂部の中の骨格の中央部分を最終的な位置に挿入するステップと、を含む。
【００１４】
この態様の実装形態は、次の特徴のうちの１つまたは複数を含んでよい。
【００１５】
たとえば、軟部組織は半月であってよい。骨格の中央部分に生物学的材料を含浸させるステップは、フィブリンクロットまたは多血小板血漿のうちの少なくとも１つを中央部分の周囲に形成するステップを含む。骨格の中央部分に生物学的材料を含浸させるステップは、中央部分をフィブリンクロットまたは多血小板血漿のうちの少なくとも１つに押し込むステップを含んでよい。
【００１６】
１つまたは複数の実装形態の詳細は、添付の図面および以下の説明に記載されている。その他の特徴、態様、および利点は、説明、図面、および特許請求の範囲から明らかになるであろう。
【図面の簡単な説明】
【００１７】
【図１Ａ】大腿骨内部に埋め込まれた移植片取り付けデバイスの斜視図である。
【図１Ｂ】大腿骨内部の移植片取り付けデバイスの代替埋め込みの斜視図である。
【図２】移植片取り付けデバイスの斜視図である。
【図３Ａ】移植組織片に結合された移植片取り付けデバイスの斜視図である。
【図３Ｂ】移植組織片に結合された移植片取り付けデバイスの斜視図である。
【図４】代替移植組織片に結合された代替移植片取り付けデバイスの斜視図である。
【図５】半月断裂部の中に埋め込まれた縫合糸骨格の上面図である。
【図６】縫合糸骨格の側面図である。
【図７Ａ】半月断裂部の中に埋め込まれた縫合糸骨格の斜視図である。
【図７Ｂ】半月断裂部の中に埋め込まれた縫合糸骨格の別の上面図である。
【図７Ｃ】７Ｃ−７Ｃ線に沿った図７Ｂの縫合糸骨格の断面斜視図である。
【発明を実施するための形態】
【００１８】
本明細書は、生物学的材料たとえばフィブリンクロットを保持し、その生物学的材料が靱帯または他の軟部組織と接触するように靱帯または他の軟部組織の修復部位の内部に位置決めできる、埋め込み可能な包囲部材および埋め込み可能な骨格の例について説明する。
【００１９】
図１Ａを参照すると、移植片取り付けデバイス１０が、たとえば前十字靱帯（ＡＣＬ）修復および再建術中に埋め込まれ、大腿骨１４の大腿骨孔１２ａの中に位置決めされる。場合によっては、移植片取り付けデバイス１０は、より短い大腿骨孔１２ｂ（図１Ｂ）の中に位置決めされてよい。移植片取り付けデバイス１０は、プラットフォーム部材１６と、移植片接続要素１８と、包囲部材２０と、を含み、移植組織片２２、たとえば半腱様筋および薄筋移植片に結合することができる。大腿骨孔１２ａ、１２ｂは移植片２２の一端を受け入れることができ、脛骨２６の内部にある脛骨孔２４は他端を受け入れることができる。
【００２０】
図２も参照すると、移植片取り付けデバイス１０の包囲部材２０は全体的に袋状の構造であり、この構造は、ウルトラブレイドスーチャー５号などの縫合糸材料の編み組みメッシュまたは織物メッシュ、コラーゲンなどの天然材料、またはそれらの組み合わせから作製されてよい。包囲部材２０は、包囲部材２０の対向する部分上に位置決めされた２つの開口２８ａ、２８ｂを有する。開口２８ａ、２８ｂは、以下でさらに説明するように、包囲部材２０が生物学的材料３０を受け入れ保持することを可能にすることができる。あるいは、包囲部材は、単一の開口を有してもよく、３つ以上の開口を有してもよく、開口を有さなくてもよい。複数のフィラメント、糸、縫合糸などは、包囲部材２０の一部分に取り付けられて、たとえば包囲部材２０を移植片取り付けデバイス１０の他の部分または移植組織片２２に結合する助けとなる。場合によっては、包囲部材２０は、連続した帯状の縫合糸材料とすることができる。あるいは、包囲部材２０は、生物学的材料３０を含浸させるように構成された骨格状構造とすることができる。
【００２１】
移植片取り付けデバイス１０の移植片接続要素１８は、以下でさらに説明するように、移植組織片２２（図１Ａ〜図１Ｂ）を移植片取り付けデバイス１０に結合する。図２に示すように、移植片接続要素１８は、包囲部材２０をプラットフォーム部材１６に結合するように包囲部材２０の開口２８ａ、２８ｂおよびプラットフォーム部材１６の開口３２を通してループが形成された、ウルトラブレイドスーチャー５号などの縫合糸またはポリエステルなどの他の材料の連続したループとすることができる。代替として、またはそれに加えて、移植片接続要素１８は、種々のフィラメントおよび他の取り付け要素（図示せず）を介して包囲部材２０およびプラットフォーム部材１６に結合することができる。
【００２２】
移植片取り付けデバイス１０のプラットフォーム部材１６は、大腿骨１４（図１Ａ〜図１Ｂ）の皮質表面上に位置決めすることができ、大腿骨孔１２ａ、１２ｂの中に移植片取り付けデバイス１０および移植組織片２２を固着する助けとなる。種々の縫合糸は、プラットフォーム部材１６の１つまたは複数の開口３２を通してループ化され、外科医が、必要に応じて、プラットフォーム部材１６を大腿骨孔１２ａ、１２ｂから引き出し、大腿骨１４の皮質表面上にプラットフォーム部材１６を位置決めすることができる。
【００２３】
移植片取り付けデバイス１０は、種々のフィラメント、糸、縫合糸などに加えて、特定の金属合金およびポリマーなどの任意の生体適合性材料または生体適合性材料の組み合わせから形成された構成要素を含むことができる。移植片取り付けデバイス１０の構成要素は、ＰＥＥＫ（登録商標）またはアセタールなどの非吸収性材料を含むことができる。代替として、またはそれに加えて、移植片取り付けデバイス１０の構成要素は、ＰＬＬＡなどの生体吸収性材料を含むことができる。
【００２４】
手術中、外科医は、移植組織片２２の取り付けの前に、生物学的材料３０を、開口２８ａ、２８ｂを介して包囲部材２０に挿入する。生物学的材料３０は、フィブリンクロットであってもよく、靱帯または組織の修復を促進する他の任意の材料であってもよい。たとえば、生物学的材料３０には、限定するものではないが、多血小板血漿（ＰＲＰ）、ヒアルロン酸（ＨＡ）、成長因子（たとえば、ＰＤＧＦ、ＦＧＦ、ＢＭＰ、ＧＤＦ−５、およびＴＧＦ−βスーパーファミリーの他のメンバー）、自家組織片、および薬理的物質（たとえば抗炎症薬および／または鎮痛剤）などの、任意の生体適合性材料または生体適合性材料の組み合わせを含めることができる。代替として、またはそれに加えて、生物学的材料３０は、包囲部材２０の表面の周囲に生物学的材料３０が形成されるように、包囲部材２０の表面に押し込むことができる。包囲部材２０は、製造中に移植片取り付けデバイス１０にあらかじめ取り付けることができる。あるいは、包囲部材２０は、包囲部材２０への生物学的材料３０の挿入の前またはその後に、移植片取り付けデバイス１０に結合することができる。場合によっては、外科医は、たとえば縫合糸を使用して開口２８ａ、２８ｂを閉鎖し、生物学的材料３０が包囲部材２０から出ることを防止することができる。
【００２５】
生物学的材料３０は、ＡＣＬ再建などの手術後の治癒を促進する助けとなる。たとえば、フィブリンクロット、すなわち患者の血液から一般的に調製されたペースト状材料は、治癒を促進する種々の成長因子および化学物質を放出することによって、移植片束間ならびに移植片束と骨の間での治癒を高めることができる。
【００２６】
図３Ａおよび図３Ｂを参照すると、包囲部材２０への生物学的材料３０の挿入の後で、外科医は、移植片２２を移植片接続要素１８に通過させ、２つに折って、たとえば４重折りにした束を作製することによって、半腱様筋移植片と薄筋移植片または半腱様筋移植片の２つの半体を備えることができる移植組織片２２を移植片取り付けデバイス１０に取り付けることができる。取り付けプロセス中に、包囲部材２０の内部に含まれる生物学的材料３０が、折り重ねられた移植組織片２２の内面と接触するように、移植組織片２２を包囲部材２０の上で折ることができる。場合によっては、包囲部材２０は、折り重ねられた移植組織片２２の外面に近接して位置決めされてよい。
【００２７】
図４を参照すると、場合によっては、骨ブロック３６を有する移植組織片３４は、移植片取り付けデバイス３８に取り付けることができる。骨ブロック３６は、一般に、最適な治癒を促進するように、大腿骨孔１２ａ、１２ｂとぴったり合致する形状および大きさにされる。移植組織片３４、たとえば膝蓋腱移植片は、移植片接続要素４０を骨ブロック３６内の開口４２に通してループ化することによって、移植片取り付けデバイス３８に取り付けることができる。このプロセス中に、移植片取り付けデバイス３８はまた、包囲部材４６の取り付け部分４４に通してループ化することができる。生物学的材料３０は、上記で説明したように、包囲部材４６に挿入することができる。移植片取り付けデバイス３８への移植組織片３４および包囲部材４６の取り付けの後で、包囲部材４６は、一般に、骨ブロック３６の下で移植組織片３４の靱帯部分に近接して位置決めされる。
【００２８】
移植片取り付けデバイス１０、３８およびそれぞれ取り付けられた移植組織片２２、３４を埋め込む前に、大腿骨孔１２ａ、１２ｂは、大腿骨１４の顆間窩から大腿骨１４の皮質表面に向かって穿孔することができる。脛骨孔２４は、脛骨２６の前側領域から顆間窩に向かって穿孔することができる。
【００２９】
埋め込み中に、移植片取り付けデバイス１０、３８および取り付けられた移植組織片２２、３４はそれぞれ、プラットフォーム部材１６の１つまたは複数の開口３２に通してループ化可能な先導縫合糸（図示せず）を使用して、大腿骨孔１２ａ、１２ｂの中に位置決めすることができる。たとえば、先導縫合糸を顆間窩近くの開口から大腿骨孔１２ａ、１２ｂに通過させ、この縫合糸を使用して、移植片取り付けデバイス１０、３８を大腿骨孔１２ａ、１２ｂから大腿骨１４の皮質表面近くの開口の方へ引き出す。プラットフォーム部材１６が皮質表面近くの開口を通って大腿骨孔１２ａ、１２ｂを出た後で、先導縫合糸を使用してプラットフォーム部材１６を反転させて位置決めし、部材１６が大腿骨１４の皮質表面に平らに置かれ、少なくとも移植組織片２２、３４の一部分が大腿骨孔１２ａ、１２ｂの中に位置決めされるようにする。取り付けられた移植組織片２２、３４の遠位端は、顆間窩近くの開口から延出することができる。
【００３０】
ＡＣＬ再建手術などの後で靱帯損傷部位における治癒を促進することに加えて、生物学的材料３０は、たとえば半月組織修復において、軟部組織損傷部位における治癒を高める助けとなる。半月断裂修復術では、フィブリンクロットまたはＰＲＰは、たとえば、半月断裂部に挿入されて、特に半月の赤−白領域および白−白領域などの血管分布の少ない半月領域において、治癒を促進することができる。
【００３１】
図５および図６を参照すると、縫合糸骨格５０は、生物学的材料３０を保持するように設計され、半月５４内の断裂部５２に挿入され、治癒を促進することができる。縫合糸骨格５０は、中央部分５６と、中央部分５６の境界領域すなわち縁部領域に近接して取り付けられた１つまたは複数の案内部分５８、６０と、を含む。
【００３２】
縫合糸骨格５０の中央部分５６は生物学的材料３０を含浸させるように構成され、したがって、生物学的材料３０は、手術中に軟部組織損傷部位に容易に送達および固着することができる。たとえば、中央部分５６は、一緒に織られてメッシュ面を形成する、水平方向を向いた複数の縫合糸６２と横断方向を向いた複数の縫合糸６４とを含むことができる。中央部分５６の水平方向縫合糸６２および横断方向縫合糸６４は、結果として生成されるメッシュが、その面から生物学的材料を少なくとも一部は押し出すのに十分に疎であるが、押し出された生物学的材料を所定の位置に保持するのに十分に密であるように、配置することができる。いくつかの実装形態では、縫合糸６２、６４は、押し出された生物学的材料を所定の位置に保持する助けとなる、ざらざらした手触り（rough surface texture）または他の表面特性を有することができる。使用に際して、外科医は、生物学的材料３０、たとえばフィブリンクロットを中央部分５６のメッシュ面に押し込むことによって、中央部分５６に生物学的材料３０を含浸させることができる。中央部分５６の水平方向縫合糸６２および横断方向縫合糸６４は、生物学的材料３０を中央部分５６内に保持させ、構造的完全性の増加を生物学的材料３０に与えて、材料３０の扱いおよび送達の助けとなる。代替として、またはそれに加えて、生物学的材料３０は、たとえばトロンビンによるフィブリノーゲンの凝固によって、中央部分５６の周囲に化学的に形成することができる。
【００３３】
図６に示すように、縫合糸骨格５０の１つまたは複数の案内部分５８、６０は、中央部分５６の縁部領域に取り付けられ、中央部分５６および含浸させられた生物学的材料３０を断裂部５２（図５）の中の所望の場所に位置決めする助けとなる。たとえば、案内部分５８、６０は、中央部分５６の織物メッシュ面の対向する端から延出する１つまたは複数の水平方向縫合糸６２を含むことができる。代替として、またはそれに加えて、案内部分５８、６０は、中央部分５６の織物メッシュ面の対向する端から延出する１つまたは複数の横断方向縫合糸６４を含むことができる。場合によっては、案内部分５８、６０は、中央部分５６の１つまたは複数の縁部領域に個別に取り付けられる吸収性構造または非吸収性構造とすることができる。
【００３４】
半月断裂修復術中に、図７Ａから図７Ｃに示すように、外科医は、縫合糸骨格５０および含浸させた生物学的材料３０を断裂部５２に埋め込むことができる。たとえば、外科医は、縫合糸骨格５０および生物学的材料３０が断裂部５２の中に適切な深さで全体的に位置決めされるまで、縫合糸骨格５０の前縁６６（図７Ｃ）を断裂部５２の中へと案内することができる。次いで、外科医は、生物学的材料３０の所望の位置決めが得られるまで案内部分５８、６０を引っ張る、押す、および他の方法で操作することによって、中央部分５６および含浸させた生物学的材料３０を断裂部５２の中の最終的な所望の位置に移動させることができる。生物学的材料３０の所望の位置決めが得られた後、案内部分５８、６０は、たとえば切断によって除去されてもよく、所定の位置に残されてもよい。場合によっては、縫合糸骨格５０全体を除去し、生物学的材料３０のみを半月断裂部５２の中の所定の位置に残してもよい。半月断裂部５２への生物学的材料３０の埋め込みは、他の半月断裂修復術および用具と共に使用して、修復部位において治癒を高めることができる。
【００３５】
本明細書は多数の特定の実装形態の詳細を含むが、これらは、任意の実装形態または特許請求され得るものの範囲に関する限定として解釈されるべきではなく、特定の実装形態の特定の実装に固有の特徴の説明として解釈されるべきである。本明細書で別個の実装形態に関して説明する特定の特徴は、単一の実装形態において組み合わせて実施することもできる。反対に、単一の実装形態に関して説明する種々の特徴は、複数の実装形態において個別にまたは任意の適切なサブコンビネーションで実施することもできる。さらに、特徴は、特定のコンビネーションで作用すると上記で説明され、最初はそのようなものとして特許請求されることすらあるが、特許請求されるコンビネーションからの１つまたは複数の特徴は、場合によっては、コンビネーションから削除することができ、特許請求されるコンビネーションは、サブコンビネーションまたはサブコンビネーションの変形形態に向けられてもよい。このようにして、主題の特定の実装形態について説明してきた。他の実装形態は、添付の特許請求の範囲に含まれる。
【符号の説明】
【００３６】
１０  移植片取り付けデバイス
１２ａ  大腿骨孔
１２ｂ  大腿骨孔
１４  大腿骨
１６  プラットフォーム部材
１８  移植片接続要素
２０  包囲部材
２２  移植組織片、移植片
２４  脛骨孔
２６  脛骨
２８ａ  開口
２８ｂ  開口
３０  生物学的材料
３２  開口
３４  移植組織片
３６  骨ブロック
３８  移植片取り付けデバイス
４０  移植片接続要素
４２  開口
４４  取り付け部分
４６  包囲部材
５０  縫合糸骨格
５２  半月断裂部、断裂部
５４  半月
５６  中央部分
５８  案内部分
６０  案内部分
６２  水平方向縫合糸
６４  横断方向縫合糸
６６  前縁
【図１Ａ】
2015509032.tif 000003
【図１Ｂ】
2015509032.tif 000004
【図２】
2015509032.tif 000005
【図３Ａ】
2015509032.tif 000006
【図３Ｂ】
2015509032.tif 000007
【図４】
2015509032.tif 000008
【図５】
2015509032.tif 000009
【図６】
2015509032.tif 000010
【図７Ａ】
2015509032.tif 000011
【図７Ｂ】
2015509032.tif 000012
【図７Ｃ】
2015509032.tif 000013
【国際調査報告】
2015509032.tif 000014
2015509032.tif 000015
2015509032.tif 000016
2015509032.tif 000017
2015509032.tif 000018
2015509032.tif 000019